(57)【要約】      （修正有）【課題】熟練者が必ず有利とならず、多様な人が同じルールで競技することができる遊技具を提供する。【解決手段】各面の一部に薄膜が張られ、各面の薄膜に異なる着色がなされた四面体形状を有する投擲用の複数のシャトル３０と、前記シャトル３０の一面を露出させた状態で前記シャトル３０を収納するセル１２が、前記複数のシャトル３０の数と同数隣接して設けられた的部１１と、前記的部１１を底面とし、底面の各辺から広がるように上方へ延在され、それぞれ隣接する境界において接続された複数のシャトル受面により構成される傾斜壁部５０とを具備する。【選択図】図４
0003169202.tif 000002
【実用新案登録請求の範囲】
【請求項１】
各面の一部に薄膜が張られ、各面の薄膜に異なる着色がなされた四面体形状を有する投擲用の複数のシャトルと、
前記シャトルの一面を露出させた状態で前記シャトルを収納するセルが、前記複数のシャトルの数と同数隣接して設けられた的部と、
前記的部を底面とし、底面の各辺から広がるように上方へ延在され、それぞれ隣接する境界において接続された複数のシャトル受面により構成される傾斜壁部と
を具備することを特徴とする遊戯具。
【請求項２】
シャトル受面は、メッシュにより構成されることを特徴とする請求項１に記載の遊戯具。
【請求項３】
シャトルの薄膜は、四面体の陵に近接する部分に張着されていることを特徴とする請求項１または２に記載の遊戯具。
【考案の詳細な説明】
【技術分野】
【０００１】
本考案は、子供から大人まで優しく安全に、投擲によって競技することが可能な遊技機に関するものである。
【背景技術】
【０００２】
従来の投擲遊具としては、得点穴の近傍に得点を記入しておき、投擲物を所望の穴を目掛けて投げ入れるものが知られている（特許文献１参照）。
【先行技術文献】
【特許文献】
【０００３】
【特許文献１】実用新案登録第３１６１１５２号明細書
【考案の概要】
【考案が解決しようとする課題】
【０００４】
上記従来の投擲遊具は、得点は所望の穴を狙って投擲することにより基本的に決まるものであり、偶然性に大きく左右され難く、熟練者に有利なものであった。
【０００５】
本考案は上記のような従来の遊戯具の特徴に鑑みてなされたもので、その目的は、得点が偶然性に大きく左右され易く、従って熟練者が必ず有利とならず、子供と大人或いは男性と女性が同じルールで競技して勝ち負けを決することができる遊戯具を提供することである。
【課題を解決するための手段】
【０００６】
本考案に係る遊戯具は、各面の一部に薄膜が張られ、各面の薄膜に異なる着色がなされた四面体形状を有する投擲用の複数のシャトルと、前記シャトルの一面を露出させた状態で前記シャトルを収納するセルが、前記複数のシャトルの数と同数隣接して設けられた的部と、前記的部を底面とし、底面の各辺から広がるように上方へ延在され、それぞれ隣接する境界において接続された複数のシャトル受面により構成される傾斜壁部とを具備することを特徴とする。
【０００７】
本考案に係る遊戯具では、シャトル受面は、メッシュにより構成されることを特徴とする。
【０００８】
本考案に係る遊戯具では、シャトルの薄膜は、四面体の陵に近接する部分に張着されていることを特徴とする。
【考案の効果】
【０００９】
本考案に係る遊戯具によれば、的部を底面とし、底面の各辺から広がるように上方へ延在され、それぞれ隣接する境界において接続された複数のシャトル受面により構成される傾斜壁部を具備しているため、四面体形状を有する投擲用のシャトルがこの傾斜面を転がり、前記シャトルを収納するセルが設けられた的部に到るように構成されているため、セルにシャトルが入るか否かが不明であり、また、入ったとしても、着色がどのような状態で並ぶかは偶然性が高く、従って熟練者が必ず有利とならず、様々な人が集って競技する場合に好適である。
【００１０】
本考案に係る遊戯具では、シャトル受面は、メッシュにより構成されているので、四面体であるシャトルの転がりを多くし、セルに入ったときに着色がどのような状態で並ぶかについて偶然性を高める。
【００１１】
本考案に係る遊戯具では、シャトルの薄膜は、四面体の陵に近接する部分に張着されているので、この薄膜が投擲のときにシャトルの飛翔を生じさせ、セルに入ったときに着色がどのような状態で並ぶかについて偶然性を高める。
【図面の簡単な説明】
【００１２】
【図１】本考案に係る遊戯具の実施形態において、シャトルを取り除いた状態の斜視図。
【図２】本考案に係る遊戯具の実施形態に用いるシャトルを示す斜視図。
【図３】本考案に係る遊戯具の実施形態において、シャトルをセルに入れた状態の斜視図。
【図４】本考案に係る遊戯具の実施形態に用いるシャトルの重なりを示す斜視図。
【図５】本考案に係る遊戯具の実施形態による競技のルールを説明する図。
【図６】本考案に係る遊戯具の実施形態による競技のルールを説明する図。
【図７】本考案に係る遊戯具の実施形態の変形例を示す斜視図。
【図８】本考案に係る遊戯具の実施形態の変形例を示す斜視図。
【図９】本考案に係る遊戯具の実施形態に適用される台を示す斜視図。
【考案を実施するための形態】
【００１３】
以下添付図面を参照して本考案に係る遊戯具の実施形態を説明する。各図において同一の構成要素には、同一の符号を付して重複する説明を省略する。図１及び図２には、実施形態に係る遊戯具の斜視図が示されている。図１には的容器１０が示され、図２には、投擲用のシャトル３０が示されている。
【００１４】
シャトル３０は、四面体形状を有するもので、本実施形態では正三角錐の形状であり、例えば大人の手の平に載る程度の大きさとすることができる。シャトル３０の各陵３１は、木や樹脂などの角棒により構成される骨材３２となっている。シャトル３０の各面は三角形の形状であり、各陵３１に沿って平行に帯状に紙製の薄膜３３が張着されている。
【００１５】
シャトル３０の各面の中央部には、三角形状の穴３４が設けられている。シャトル３０におけるそれぞれの一面に張着されている薄膜３３の色は同一色であり、四面はそれぞれ異なる色が配されている。例えば、赤、青、黄、緑の各色を配することができる。
【００１６】
以上のように構成されているシャトル３０は、投擲用のものであり、薄膜３３が投擲の際に羽根の役割を有しており、骨材３２が適宜な重りの役割を有しており、全体として投擲されて適当に飛翔するが紙風船のように舞い上がることなく、飛翔しながら落下するように構成される。
【００１７】
的容器１０は、底部に平面形状が六角形の的部１１を備える。上記六角形の各辺の比は、２：１：２：１：２：１である。的部１１には、シャトル３０の一面を露出させた状態で上記シャトル３０を収納するセル１２が設けられている。各セル１２は、シャトル３０の一頂角を下向きにして収納するように、開口した逆三角錐の三角穴１３が形成されている。三角穴１３は、中央の最下点に向かって傾斜する三枚の三角壁１４により構成されている。この実施形態においては、セル１２の数は１３である。このため１３個のシャトル３０が用意される。
【００１８】
的部１１を底面として、底面の各辺から広がるように上方に延在され、それぞれ隣接する境界２１において接続された複数のシャトル受面２０Ａ、２０Ｂが設けられている。シャトル受面２０Ａは、的部１１における六角形の各辺の比が１に対応する辺から延在しており、シャトル受面２０Ｂは、的部１１における六角形の各辺の比が２に対応する辺から延在している。シャトル受面２０Ａ、２０Ｂは、いずれもメッシュ（網）により構成されており、材質は樹脂や金属とすることができる。
【００１９】
シャトル受面２０Ａ、２０Ｂは、傾斜壁部５０を構成する。傾斜壁部５０は、的部１１を底面として、的部１１の平面形状の相似形である六角形状であり、的部１１の平面より大きな面積の開口部５１を備える。
【００２０】
以上の通りに構成された遊戯具においては、的容器１０を床や適当な台に載置し、この的容器１０の位置から適宜な距離（例えば３〜５ｍ）の位置において、シャトル３０を持ち的容器１０の開口部５１を目掛けて投げ入れる。１３個のシャトル３０がうまく全て各セル１２に入ったときには、図３に示すような状態となる。
【００２１】
シャトル３０は穴３４を有しているため、２個以上が重なりことがあり、３個のシャトル３０が重なった場合には図４に示す状態となる。この遊戯具は次のルールによって点数を数えて競技することができる。図３に示したように１３個のシャトル３０がうまく全て各セル１２に入ったときにおいて、図５（ａ）に示す如く全てのシャトル３０が同一色の薄膜３３を露出させた状態であれば、パーフェクト賞で、３００点とする。このパーフェクト賞では、これ以上の点数が加算されることはない。全て同一色でなければ、準パーフェクト賞であり、１００点とする。準パーフェクト賞の場合には、他の点数を加算できる。
【００２２】
１３個のセル１２中の６個により六角形が形成されるセル１２に、図５（ｂ）に示すように全てのシャトル３０が同一色の薄膜３３を露出させた状態であれば、６連賞で、１００点とする。この６連賞を構成するシャトル３０を取り除き、他の点数を加算する。一列に５個並んだセル１２中に、図５（ｃ）に示すように全てのシャトル３０が同一色の薄膜３３を露出させた状態であれば、５連賞で、１００点とする。この５連賞を構成するシャトル３０を取り除き、他の点数を加算する。
【００２３】
次に、同一平面において、隣接するセル１２に入っているシャトル３０について、露出させている薄膜３３が平面図の図６（ａ）に示すように同一色であれば、２０点とする。一度ペアとしたシャトル３０は他のシャトル３０とペアにならない。更に、図４に示した重なり状態の場合において、図６（ｂ）に示すように同一色が２個（ペアで）重なっているとき、２０点である。また、図４に示すように同一色が３個重なっていると、ペアが一つであるから２０点、以下、同一色で重なっているペア数に応じて２０点づつ加算する。従って、図６（ｄ）に示すように、隣接するセル１２に同一色のシャトル３０が入っており、それぞれが同一色で重なっている場合には、一段目の水平ペアで２０点、二段目の水平ペアで２０点、左側の垂直方向ペアで２０点、右側の垂直方向ペアで２０点であるから、合計で８０点となる。
【００２４】
図５から図６（ａ）、図６（ｂ）のいずれにも該当せず、平面図を示す図６（ｃ）のようにセル１２に入っているシャトル３０は１個で５点とする。また、図６（ｅ）のように、隣接する一方のセル１２に同一色（例えば赤）の二段重ねペアがあり、隣接する他方のセル１２に上記一方のセル１２と同一色のシャトル３０が入っている場合には、一段目の水平ペアで２０点、左側の垂直方向ペアで２０点の合計４０点である。この場合、隣接するセル１２において段差を有するシャトル３０が露出させている薄膜３３の色が同一色であっても０点である。また、セル１２に入らなかったシャトル３０は、初めに除外し、計算を行う。
【００２５】
以上のルルーにより競技することによって、熟練者が必ず有利とならず、子供と大人或いは男性と女性が同じルールで競技して勝ち負けを決することができると期待でき、家族などで楽しく競技することができる。
【００２６】
上記的容器１０は、図７、図８に示す四角形の的部１１Ｃと四角形のシャトル受面２０Ｃ傾斜壁部５０Ｃを備えるものとすることができる。この場合、図７に示すものは図８に示すものよりセル１２の数が多いものである。このような変形例では、シャトル数及びルールを適宜変更して競技することができる。上記は一例に過ぎず、形状等は様々に変形することができる。更に、上記的容器１０は、適当な厚みの三角柱の置台部４１から床に載置される円板状の脚部４２へ向かって支柱４３が延びて、これらを結合する台４０に載せて、遊技場などにおいて競技することもでき、この場合には、シャトル３０の大きさや重さなどを適宜変形して大人向きに構成することも可能である。
【符号の説明】
【００２７】
１０  的容器
１１、１１Ｃ  的部
１２  セル
１３  三角穴
１４  三角壁
２０Ａ、２０Ｂ、２０Ｃ  シャトル受面
３０  シャトル
３１  陵
３２  骨材
３３  薄膜
３４  穴
４０  台
４１  置台部
４２  脚部
４３  支柱
５０、５０Ｃ  傾斜壁部
５１  開口部
【図１】
0003169202.tif 000003
【図２】
0003169202.tif 000004
【図３】
0003169202.tif 000005
【図４】
0003169202.tif 000006
【図５】
0003169202.tif 000007
【図６】
0003169202.tif 000008
【図７】
0003169202.tif 000009
【図８】
0003169202.tif 000010
【図９】
0003169202.tif 000011